(57)【特許請求の範囲】
【請求項１】
大気の温度と湿度との少なくともいずれかを測定するセンサー部が設けられたセンターユニットと、
前記センターユニットの上部に設けられたフードと、
前記センターユニットの下部に設けられた筒体と、
前記センターユニットと前記フードと前記筒体とを組み立てた組立状態と、前記センターユニットと前記フードと前記筒体とに分解した分解状態とを可能とする複数の部品とを備え、
前記複数の部品は、つまみねじと切り欠きとの嵌合および前記嵌合の解除によって、前記組立状態と前記分解状態とを可能とする部品であり、
前記筒体は、前記センターユニットと連結される外筒と、前記外筒に収容される内筒とを有し、
前記外筒は、前記内筒の上端の位置決めを行う位置決めリングを有し、
前記内筒は、前記センサー部を収容するセンサー収容部を有し、
前記位置決めリングは、工具を使用することなく変位することによって、前記外筒に前記内筒が収容された状態と、前記外筒から前記内筒が取り出された状態とを可能とする部品である通風筒。
【請求項２】
前記位置決めリングは、内径が前記内筒の上端の外径以上、かつ、前記内筒の下端の外径未満であるリング本体を有する請求項１記載の通風筒。
【請求項３】
前記位置決めリングは、前記リング本体の軸方向に突出し、前記リング本体の内側に向けて傾斜する複数の櫛歯により形成された位置決め部を有する請求項２記載の通風筒。
【請求項４】
前記複数の櫛歯は、前記内筒の上端を付勢する請求項３記載の通風筒。
【請求項５】
大気の温度と湿度との少なくともいずれかを測定するセンサー部が設けられたセンターユニットと、
前記センターユニットの上部に設けられたフードと、
前記センターユニットの下部に設けられた筒体と、
前記センターユニットと前記フードと前記筒体とを組み立てた組立状態と、前記センターユニットと前記フードと前記筒体とに分解した分解状態とを可能とする複数の部品とを備え、
前記複数の部品は、つまみねじと切り欠きとの嵌合および前記嵌合の解除によって、前記組立状態と前記分解状態とを可能とする部品であり、
前記筒体は、前記センターユニットと連結される外筒と、前記外筒に収容される内筒と、前記内筒の下端の位置決めを行う受け金具とを有し、
前記内筒は、前記センサー部を収容するセンサー収容部を有し、
前記受け金具は、工具を使用することなく変位することによって、前記外筒と前記内筒と前記受け金具とから前記筒体が組み立てられた状態と、前記筒体が前記外筒と前記内筒と前記受け金具とに分解された状態とを可能とする部品である通風筒。
【請求項６】
前記受け金具は、前記内筒の下端の内部に配置され、前記内筒の下端の移動を規制する複数の位置決め片を有する請求項５記載の通風筒。
【請求項７】
大気の温度と湿度との少なくともいずれかを測定するセンサー部が設けられたセンターユニットと、
前記センターユニットの上部に設けられたフードと、
前記センターユニットの下部に設けられた筒体と、
前記センターユニットと前記フードと前記筒体とを組み立てた組立状態と、前記センターユニットと前記フードと前記筒体とに分解した分解状態とを可能とする複数の部品とを備え、
前記複数の部品は、つまみねじと切り欠きとの嵌合および前記嵌合の解除によって、前記組立状態と前記分解状態とを可能とする部品であり、
前記センターユニットは、前記分解状態であって前記センターユニットから前記フードが取り外されているときにファンモータを着脱自在とするように構成されたファンモータ取付部を有し、
前記ファンモータ取付部は、工具を使用することなく変位することによって、前記ファンモータ取付部に前記ファンモータが取り付けられた状態と、前記ファンモータ取付部から前記ファンモータが取り外された状態とを可能とする部品である通風筒。
【請求項８】
前記ファンモータは、中央に配置されたファン部と、前記ファン部の周囲に設けられたフランジ部と、前記フランジ部に形成された貫通穴とを有し、
前記ファンモータ取付部は、前記貫通穴と係合する係合部と、前記フランジ部を押える押え部とを有する請求項７記載の通風筒。
【発明の詳細な説明】
【技術分野】
【０００１】
本発明は、通風筒に関する。
【背景技術】
【０００２】
大気の温度や湿度を測定する気象観測装置は、温度計や湿度計が日射を受けて実際の温度や湿度と異なる値を示してしまうことがある。そこで、温度計や湿度計を収容する通風筒を用いて日射の影響を防止している。
【０００３】
例えば、特許文献１には、温度計と湿度計が取り付けられるセンターユニットと、センターユニットの上部に設けられたフードと、センターユニットの下部に設けられた筒体とを備えた通風筒が記載されている。センターユニットの上部にはファンモータが内蔵されている。ファンモータが駆動することにより、筒体の下端に設けられた空気吸引部から空気が吸引され、フードとセンターユニットとの間に形成された隙間から空気が排出される。特許文献１記載の通風筒は、空気を強制的に循環させるように構成されていることにより、温度と湿度とを正確に測定することができる。
【先行技術文献】
【特許文献】
【０００４】
【特許文献１】特開平１０−０９００７４号公報
【発明の概要】
【発明が解決しようとする課題】
【０００５】
しかしながら、特許文献１記載の通風筒は、センターユニット、フード、筒体、ファンモータなどの各種構成部品がねじを用いて連結されているので、メンテナンスを行う際にドライバーなどの工具を使用し、ねじの取り付け／取り外しなどを行う必要があり、メンテナンス性について改善の余地があった。
【０００６】
本発明は、メンテナンス性に優れる通風筒を提供することを目的とする。
【課題を解決するための手段】
【０００７】
本発明に係る通風筒は、大気の温度と湿度との少なくともいずれかを測定するセンサー部が設けられたセンターユニットと、前記センターユニットの上部に設けられたフードと、前記センターユニットの下部に設けられた筒体と、前記センターユニットと前記フードと前記筒体とに備わる複数の部品のうち、少なくともいずれかの部品が工具を使用することなく変位することによって、前記センターユニットと前記フードと前記筒体とを組み立てた組立状態と、前記センターユニットと前記フードと前記筒体とに分解した分解状態とを可能とする分解組立機構とを備える。
【発明の効果】
【０００８】
本発明に係る通風筒は、ドライバーなどの工具を使用せずに分解および組立を行うことができるので、メンテナンス性に優れる。
【図面の簡単な説明】
【０００９】
【図１】本発明を実施した通風筒の斜視図である。
【図２】本発明を実施した通風筒を分解して示す斜視図である。
【図３】センターユニットの上部の構成を説明するための斜視図である。
【図４】位置決めリングの平面図と断面図である。
【図５】受け金具の平面図と断面図である。
【図６】外筒に内筒を挿入する前の筒体の断面図である。
【図７】外筒に内筒を挿入した後の筒体の断面図である。
【図８】外筒に受け金具を取り付ける前の筒体の断面図である。
【図９】外筒に受け金具を取り付けた後の筒体の断面図である。
【図１０】ファンモータ取付部にファンモータを取り付ける前のセンターユニット上部の断面図である。
【図１１】ファンモータ取付部にファンモータを取り付けた後のセンターユニット上部の断面図である。
【発明を実施するための形態】
【００１０】
図１において、通風筒１０は、大気の温度や湿度を測定する気象観測装置１１に用いられる。気象観測装置１１は、通風筒１０の内部にセンサー部１２とファンモータ１３とを有する。
【００１１】
通風筒１０は、地面１４に立設された支柱１５に取り付けられ、地面１４から所定の高さに配置される。通風筒１０においては、地面１４のある側が下側であり、空のある側が上側である。
【００１２】
センサー部１２は、大気の温度を測定する温度計と、大気の湿度を測定する湿度計との少なくともいずれかを有する。すなわち、センサー部１２は、大気の温度と湿度との少なくともいずれかを測定する。温度計としては電気式温度計が用いられる。湿度計としては電気式湿度計が用いられる。センサー部１２は、図示しないセンサー取付部材を用いて通風筒１０の内部に取り付けられている。
【００１３】
ファンモータ１３は、通風筒１０の内部と外部との間で空気を強制的に循環させる。ファンモータ１３は、例えば平面視において略正方形をしている。ファンモータ１３は、通風筒１０の下側から空気を吸引する。通風筒１０の内部に吸引された空気は、後述するセンターユニット２１のユニット本体２５とフード２２のカバー３６との間に形成された隙間から、通風筒１０の外周囲に排出される。通風筒１０の内部の空気が循環することにより、センサー部１２において正確な温度または湿度の測定が可能となる。
【００１４】
図２に示すように、通風筒１０は、センターユニット２１と、フード２２と、筒体２３とを備える。フード２２とセンターユニット２１と筒体２３とは、例えばステンレス鋼などにより形成される。
【００１５】
通風筒１０は、センターユニット２１とフード２２と筒体２３とに備わる複数の部品のうち少なくともいずれかの部品が工具を使用することなく変位することによって、センターユニット２１とフード２２と筒体２３とを組み立てた組立状態（図１参照）と、センターユニット２１とフード２２と筒体２３とに分解した分解状態（図２参照）とを可能とする分解組立機構を備える。分解組立機構は、通風筒１０のメンテナンスを行う作業者が、ドライバーなどの工具を使用せずに自らの手で変位可能な特定の部品を含む。
【００１６】
センターユニット２１にはセンサー部１２が設けられている。センターユニット２１は、ユニット本体２５と、ファンモータ取付部２６と、支柱取付部２７とを有する。ユニット本体２５は、筒状に形成されている。図２では、ユニット本体２５は円筒形状である。
【００１７】
ユニット本体２５の下端にはＬ字形をした複数の切り欠き２５ａが形成されている。この例では、３つの切り欠き２５ａがユニット本体２５の円周方向に沿って等間隔に設けられている。図２では、３つの切り欠き２５ａのうち、１つの切り欠き２５ａのみが示されており、残り２つの切り欠き２５ａは紙面奥側に隠れている。各切り欠き２５ａには、後述する筒体２３の上部に設けられた各第２のつまみねじ４２のねじ部が嵌合される。
【００１８】
ファンモータ取付部２６は、ユニット本体２５の上部に設けられている。ファンモータ取付部２６は、ファンモータ１３を着脱自在とするように構成されている。ファンモータ取付部２６は、センターユニット２１に備わる複数の部品のうち、通風筒１０の分解状態と組立状態とを可能とするために変位する部品の一つである。
【００１９】
図３に示すように、ファンモータ取付部２６は、ファンモータ１３を支持する支持部２６ａと、支持部２６ａの外周縁部に設けられたＬ字形をした第１の側板２６ｂと、支持部２６ａの外周縁部に設けられ、第１の側板２６ｂを挟んで配置された一対の第２の側板２６ｃと、第１の側板２６ｂに設けられた係合部２６ｄと、一対の第２の側板２６ｃに設けられた押え部２６ｅとを有する。
【００２０】
支持部２６ａは、この例では円盤形である。支持部２６ａの中央には開口２９が形成されている。支持部２６ａの開口２９は、ファンモータ１３により吸引された空気を流通させるためのものである。ファンモータ１３は、中央に配置されたファン部１３ａと、ファン部の周囲に設けられたフランジ部１３ｂと、フランジ部１３ｂに形成された貫通穴１３ｃとを有し、ファン部１３ａが支持部２６ａの開口２９の上に配置される。
【００２１】
第１の側板２６ｂは、支持部２６ａの外周縁部と接続する基端部３０と、下方に延びる先端部３１とを有する。基端部３０には、上方に突出したピン状の係合部２６ｄが設けられている。係合部２６ｄは、通風筒１０の組立状態において、ファンモータ１３のフランジ部１３ｂに形成された貫通穴１３ｃと係合する。この例では、基端部３０にねじ穴（図示なし）が形成されており、このねじ穴に対し下側からねじを取り付けて、ねじ穴から突出したねじのねじ部を係合部２６ｄとして用いている。先端部３１には、第１のつまみねじ３３が設けられている。第１のつまみねじ３３は、通風筒１０の分解の際に緩められ、通風筒１０の組立の際に締められる。第１のつまみねじ３３は、通風筒１０の分解の際に先端部３１から完全に取り外す必要がない。
【００２２】
図３では、支持部２６ａの外周縁部に４つの第１の側板２６ｂが設けられている。４つの第１の側板２６ｂは、支持部２６ａの円周方向に沿って等間隔に設けられている。各第１の側板２６ｂに対し、一対の第２の側板２６ｃが設けられている。係合部２６ｄは、４つの第１の側板２６ｂのうち、特定の第１の側板２６ｂと、この特定の第１の側板２６ｂから支持部２６ａの円周方向に１８０度離間した位置に設けられた第１の側板２６ｂとの各基端部３０に設けられている。第１のつまみねじ３３は、４つの第１の側板２６ｂの各先端部３１に設けられている。
【００２３】
押え部２６ｅは、通風筒１０の組立状態において、ファンモータ１３のフランジ部１３ｂを押える。押え部２６ｅは、この例では、両端にフックが形成されたばね部材である。一対の第２の側板２６ｃには開口がそれぞれ形成されており、各開口にばね部材の各フックが引っ掛けられている。これにより、押え部２６ｅは、一対の第２の側板２６ｃの間に設けられた第１の側板２６ｂの上に配置される。押え部２６ｅは、ファンモータ１３のフランジ部１３ｂを上側から下側へ付勢する付勢状態（図２参照）と、付勢を解除した解除状態との間で変位する。押え部２６ｅは、例えば、支持部２６ａの径方向に引っ張る力が加えられることにより解除状態となり、引っ張る力から解放されることにより付勢状態となる。
【００２４】
図３では、押え部２６ｅは、４つの第１の側板２６ｂのうち、係合部２６ｄが設けられた２つの第１の側板２６ｂとは異なる残り２つの第１の側板２６ｂを挟んで配置された一対の第２の側板２６ｃにそれぞれ設けられている。
【００２５】
ファンモータ取付部２６は、係合部２６ｄと押え部２６ｅとを有することにより、ファンモータ１３を着脱自在とする。すなわち、通風筒１０の分解組立機構は、係合部２６ｄと押え部２６ｅとを有するファンモータ取付部２６を含む。
【００２６】
支柱取付部２７は、ユニット本体２５の外周面に、溶接により接合されている（図１および図２参照）。支柱取付部２７により通風筒１０が支柱１５に取り付けられる。支柱取付部２７は、箱形をしており、内部に空間を有する。
【００２７】
支柱取付部２７の側面にはケーブル引込ボックス３５（図２および図３参照）が取り付けられている。ケーブル引込ボックス３５は、通風筒１０の外部から各種ケーブル（図示なし）を引き込むためのものである。ケーブル引込ボックス３５に引き込まれるケーブルは、例えば、センサー部１２およびファンモータ１３と電気的に接続する電力供給用ケーブルや制御用ケーブルなどである。支柱取付部２７の側面のうちケーブル引込ボックス３５に対応する部分には図示しない開口が形成されており、この開口を通して、ケーブル引込ボックス３５から支柱取付部２７へケーブルが引き込まれる。また、ユニット本体２５の外周面のうち支柱取付部２７に対応する部分には図示しない開口が形成されており、この開口を通して、支柱取付部２７からユニット本体２５へケーブルが引き込まれる。
【００２８】
フード２２は、センターユニット２１の上部に設けられている（図２参照）。フード２２は、カバー３６とキャップ３７とを有する。この例では、カバー３６は円筒形状とされ、キャップ３７は円錐形状とされている。カバー３６の下端には、Ｌ字形をした複数の切り欠き３６ａが形成されている。この例では、４つの切り欠き３６ａがカバー３６の円周方向に沿って等間隔に設けられている。図２では、４つの切り欠き３６ａのうち、２つの切り欠き３６ａのみが示されており、残り２つの切り欠き３６ａは紙面奥側に隠れている。各切り欠き３６ａには、ファンモータ取付部２６に設けられた各第１のつまみねじ３３のねじ部が嵌合される。各切り欠き３６ａに各第１のつまみねじ３３のねじ部が嵌合することにより、センターユニット２１とフード２２とが連結される。センターユニット２１とフード２２とが連結された状態において、ユニット本体２５とカバー３６との間に形成された隙間から、ファンモータ１３により通風筒１０の内部に吸引された空気が通風筒１０の外部へ排出される。キャップ３７は、カバー３６の上部に設けられている。キャップ３７は、直射日光による通風筒１０の内部の温度上昇を抑制する遮熱板として機能する。
【００２９】
筒体２３は、センターユニット２１の下部に設けられている（図２参照）。筒体２３は、センターユニット２１と連結される外筒３８と、外筒３８に収容される内筒３９と、内筒３９の下端を受ける受け金具４０とを有する。
【００３０】
外筒３８は、複数の筒状体が同心状に配置された多重筒構造を有する。この例では、外筒３８は、２つの円筒状体からなる二重筒構造を有し、２つの円筒状体の間に断熱材が設けられている。
【００３１】
外筒３８の上部には、複数の第２のつまみねじ４２が設けられている。外筒３８の下部には、複数の第３のつまみねじ４３が設けられている。第２のつまみねじ４２および第３のつまみねじ４３は、通風筒１０の分解の際に緩められ、通風筒１０の組立の際に締められる。第２のつまみねじ４２および第３のつまみねじ４３は、通風筒１０の分解の際に外筒３８から完全に取り外す必要がない。この例では、外筒３８には、３つの第２のつまみねじ４２と、３つの第３のつまみねじ４３とが設けられている。３つの第２のつまみねじ４２および３つの第３のつまみねじ４３は、外筒３８の円周方向に沿って等間隔に設けられている。
【００３２】
外筒３８は、内筒３９の上端の位置決めを行う位置決めリング４５を有する。位置決めリング４５は、外筒３８の内部の上部側に設けられている。位置決めリング４５は、筒体２３に備わる複数の部品のうち、通風筒１０の分解状態と組立状態とを可能とするために変位する部品の一つである。
【００３３】
図４に示すように、位置決めリング４５は、筒状のリング本体４６と、リング本体４６に設けられた位置決め部４７とを有する。リング本体４６は、この例では円筒形状とされている。リング本体４６の内径は、後述する内筒３９の上端の外径以上、かつ、内筒３９の下端の外径未満である。リング本体４６の内径が内筒３９の上端の外径以上であることにより、リング本体４６に内筒３９の上端が挿入可能とされている。リング本体４６の内径が内筒３９の下端の外径未満であることにより、リング本体４６に内筒３９の下端が挿入不可能とされている。
【００３４】
リング本体４６の外周縁部には、位置決めリング４５を外筒３８に固定するための複数の梁部４９が設けられている。この例では、３つの梁部４９がリング本体４６の外周縁部に設けられている。３つの梁部４９は、リング本体４６の円周方向に沿って等間隔に設けられている。３つの梁部４９は、例えばねじを用いて外筒３８に固定される。
【００３５】
位置決め部４７は、内筒３９の上端の位置決めを行う。位置決め部４７は、リング本体４６の径方向に弾性変形、すなわち変位する。位置決め部４７は、リング本体４６の軸方向に突出し、リング本体４６の内側に向けて傾斜する複数の櫛歯４８により形成されている。複数の櫛歯４８は、リング本体４６の円周方向に沿って等間隔に配列されている。この例では、位置決め部４７は、２４本の櫛歯４８により形成されている。
【００３６】
複数の櫛歯４８の各先端をリング本体４６の円周方向に結んだときに形成される仮想円Ｓ１の直径は、内筒３９の上端の外径以下とされる。これにより、リング本体４６に挿入された内筒３９が更に上方へ移動された際に、複数の櫛歯４８と内筒３９の上端とが接触する。複数の櫛歯４８は、内筒３９の上端と接触することにより変位する。複数の櫛歯４８の変位により、内筒３９の上端の位置決めが行われる。
【００３７】
上記の仮想円Ｓ１の直径を内筒３９の上端の外径未満とした場合は、複数の櫛歯４８は、リング本体４６に挿入された内筒３９の上端に押され、リング本体４６の径方向外側へ弾性変形（変位）する。弾性変形した複数の櫛歯４８は、内筒３９の上端をリング本体４６の径方向内側へ付勢する。
【００３８】
位置決めリング４５は、位置決め部４７を有することにより、内筒３９の上端の位置決めを行うことができる。すなわち、通風筒１０の分解組立機構は、位置決め部４７を有する位置決めリング４５を含む。
【００３９】
内筒３９は、センサー部１２を収容するセンサー収容部５１と、空気が吸引される空気吸引部５２とを有する（図２参照）。内筒３９は、外筒３８の内部において、センサー収容部５１が上側とされ、空気吸引部５２が下側とされる。この例では、センサー収容部５１は円筒形状であり、空気吸引部５２は略円錐台形状である。図２では、センサー収容部５１の下端と空気吸引部５２の上端とが円筒形状の接続管により接続されている。センサー収容部５１の上端の外径は、空気吸引部５２の下端の外径よりも小さい。センサー収容部５１の上端の外径は、内筒３９の上端の外径である。空気吸引部５２の下端の外径は、内筒３９の下端の外径である。空気吸引部５２の下端の内径は、内筒３９の下端の内径である。
【００４０】
受け金具４０は、外筒３８の下部に取り付けられ、内筒３９の下端を受ける。受け金具４０は、内筒３９の下端の位置決めを行うように構成されている。受け金具４０は、筒体２３に備わる複数の部品のうち、通風筒１０の分解状態と組立状態とを可能とするために変位する部品の一つである。
【００４１】
図５に示すように、受け金具４０は、プレート５３と、プレート５３の外周縁部に設けられたＬ字形をした複数のアーム５４とを有する。
【００４２】
プレート５３は、この例では円盤形である。プレート５３の中央にはねじ穴５５が形成されている。ねじ穴５５には、図示しないが、空気吸引部５２に流入する空気の流量を調整するための流入量調整板を取り付けることが可能である。流入量調整板は、プレート５３よりも大径である。ねじ穴５５には、地面で反射した日射を遮光する遮光部材を取り付けてもよい。流入量調整板や遮光部材は、ねじを用いてねじ穴５５に取り付けられる。
【００４３】
複数のアーム５４は、プレート５３の中心から放射状に延びた複数の板である。図５では、３つのアーム５４がプレート５３の外周縁部に設けられている。３つのアーム５４は、プレート５３の円周方向に沿って等間隔に設けられている。プレート５３と複数のアーム５４との間に形成された隙間を空気が流通する。
【００４４】
各アーム５４は、プレート５３と接続する基部５４ａと、上方に延びる先端５４ｂとを有する。各基部５４ａには、内筒３９の下端の位置決めを行う位置決め片５６が設けられている。この例では、各基部５４ａの両側面に一対の位置決め片５６が設けられている。
【００４５】
各位置決め片５６は、プレート５３の径方向外側の端部をプレート５３の円周方向に結んだときに形成される仮想円Ｓ２の直径が、内筒３９の下端の内径よりも僅かに小さい値となるような位置に配置される。これにより、複数の位置決め片５６は、通風筒１０の組立状態において、内筒３９の下端の内部に配置され、内筒３９の下端の移動を規制する。
【００４６】
各先端５４ｂには、プレート５３の円周方向に窪んだ切り欠き部５７が形成されている。各切り欠き部５７には、筒体２３の下部に設けられた各第３のつまみねじ４３のねじ部が嵌合される。
【００４７】
受け金具４０は、通風筒１０を分解状態または組立状態とする際に、切り欠き部５７に沿って変位される。具体的には、通風筒１０を分解状態とする場合、受け金具４０は、切り欠き部５７に沿って回転させてから下方へ移動される。通風筒１０を組立状態とする場合、受け金具４０は、切り欠き部５７に沿って上方へ移動させてから回転される。受け金具４０は、位置決め片５６を有することにより、内筒３９の下端の位置決めを行う。すなわち、通風筒１０の分解組立機構は、位置決め片５６を有する受け金具４０を含む。
【００４８】
通風筒１０を分解状態とする手順と組立状態とする手順を説明する。まず、通風筒１０を分解状態とする手順として、センターユニット２１からフード２２を取り外した後、センターユニット２１から筒体２３を取り外す場合を例に説明する。
【００４９】
通風筒１０は、センターユニット２１とフード２２と筒体２３とを組み立てた組立状態（図１参照）では、第１のつまみねじ３３、第２のつまみねじ４２、および第３のつまみねじ４３が締められた状態とされている。
【００５０】
まず、センターユニット２１からフード２２を取り外すために、全ての第１のつまみねじ３３を緩める。各第１のつまみねじ３３は、ファンモータ取付部２６から完全に取り外さずに、緩めるだけでよい。各第１のつまみねじ３３を緩めた状態で、フード２２のカバー３６に形成されたＬ字形の切り欠き３６ａに沿って、フード２２を回転させてから上方へ移動させることにより、各切り欠き３６ａと各第１のつまみねじ３３との嵌合を解除する。これにより、センターユニット２１からフード２２が取り外される。
【００５１】
次に、センターユニット２１から筒体２３を取り外すために、全ての第２のつまみねじ４２を緩める。各第２のつまみねじ４２は、外筒３８から完全に取り外さずに、緩めるだけでよい。各第２のつまみねじ４２を緩めた状態で、ユニット本体２５の下端に形成されたＬ字形の切り欠き２５ａに沿って、筒体２３を回転させてから下方へ移動させることにより、各切り欠き２５ａと各第２のつまみねじ４２との嵌合を解除する。これにより、センターユニット２１から筒体２３が取り外される。
【００５２】
センターユニット２１から取り外した筒体２３を、外筒３８と内筒３９と受け金具４０とに分解する手順を説明する。まず、全ての第３のつまみねじ４３を緩める。各第３のつまみねじ４３は、外筒３８から完全に取り外さずに、緩めるだけでよい。各第３のつまみねじ４３を緩めた状態で、切り欠き部５７に沿って受け金具４０を回転させてから下方へ移動させることにより、各切り欠き部５７と各第３のつまみねじ４３との嵌合を解除する。これにより、外筒３８から受け金具４０が取り外される。
【００５３】
次に、外筒３８の内部から内筒３９を取り出す。複数の櫛歯４８の各先端をリング本体４６の円周方向に結んだときに形成される仮想円Ｓ１の直径が内筒３９の上端の外径未満である場合は、内筒３９の上端が位置決め部４７により付勢されているので、外筒３８から受け金具４０を取り外しても、外筒３８の内部に内筒３９を収容した状態が維持される。このように、位置決めリング４５は、内筒３９の上端を位置決めする機能に加え、内筒３９の脱落を防止する機能を有する。内筒３９は、外筒３８からを引っ張り出すことにより容易に取り外し可能である。
【００５４】
なお、複数の櫛歯４８の各先端をリング本体４６の円周方向に結んだときに形成される仮想円Ｓ１の直径が内筒３９の上端の外径と等しい場合は、内筒３９の上端が位置決め部４７により付勢されないので、外筒３８から受け金具４０を取り外すだけで、外筒３８の内部に収容された内筒３９を容易に取り外すことができる。
【００５５】
ファンモータ取付部２６からファンモータ１３を取り外す手順を説明する。センターユニット２１からフード２２を取り外した段階では、押え部２６ｅは、付勢状態であり、ファンモータ１３を上側から下側へ付勢している。このため、まず、押え部２６ｅを解除状態とする。この例では、押え部２６ｅがばね部材であるので、支持部２６ａの径方向に引っ張ることで押え部２６ｅを容易に解除状態とすることができる。押え部２６ｅを解除状態としたまま、ファンモータ１３を上方へ移動させる。これにより、ファンモータ１３のフランジ部１３ｂに形成された貫通穴１３ｃとファンモータ取付部２６の係合部２６ｄとの係合が解除されて、ファンモータ取付部２６からファンモータ１３を取り外すことができる。
【００５６】
次に、通風筒１０を組立状態とする手順を説明する。通風筒１０を組立状態とする手順は、通風筒１０を分解状態とする手順の逆である。
【００５７】
図６〜図８を用いて、外筒３８と内筒３９と受け金具４０とから、筒体２３を組み立てる手順を説明する。まず、図６に示すように、外筒３８の下方に内筒３９を配置し、内筒３９の上端から外筒３８に挿入する。
【００５８】
図７に示すように、内筒３９の下端の位置と外筒３８の下端の位置とが一致するまで、内筒３９を外筒３８に挿入する。位置決めリング４５は、リング本体４６の内径が内筒３９の上端の外径以上であり、かつ、複数の櫛歯４８の各先端をリング本体４６の円周方向に結んだときに形成される仮想円Ｓ１（図４参照）の直径が内筒３９の上端の外径以下であるので、内筒３９の上端を通過させる。複数の櫛歯４８は、内筒３９の上端と接触することにより、内筒３９の上端の移動を規制する。このように、位置決めリング４５は、内筒３９の上端の位置決めを行う。
【００５９】
なお、リング本体４６の内径が内筒３９の下端の外径よりも小さいので、内筒３９の下端は、リング本体４６を通過することができない。このように、位置決めリング４５は、内筒３９の下端の誤挿入を防止する機能を有する。
【００６０】
図８に示すように、受け金具４０の各位置決め片５６が内筒３９の下端の内部に配置されるように、受け金具４０を外筒３８の下方に配置する。
【００６１】
図９に示すように、切り欠き部５７に沿って受け金具４０を上方へ移動させてから回転させることにより、各切り欠き部５７と各第３のつまみねじ４３とを嵌合させる。各切り欠き部５７と各第３のつまみねじ４３とが嵌合した状態で各第３のつまみねじ４３を締める。これにより、外筒３８と受け金具４０とが連結される。受け金具４０の各位置決め片５６は、プレート５３の径方向外側の端部をプレート５３の円周方向に結んだときに形成される仮想円Ｓ２（図５参照）の直径が、内筒３９の下端の内径よりも僅かに小さい値となるような位置に設けられているので、外筒３８に収容された内筒３９の下端の移動を規制する。このように、位置決めリング４５は、受け金具４０により内筒３９の下端の位置決めを行う。
【００６２】
次に、組み立てた筒体２３をセンターユニット２１の下方に配置し、ユニット本体２５の下端に形成されたＬ字形の切り欠き２５ａに沿って、筒体２３を上方へ移動させてから回転させることにより、各切り欠き２５ａと各第２のつまみねじ４２とを嵌合させる。各切り欠き２５ａと各第２のつまみねじ４２とが嵌合した状態で、各第２のつまみねじ４２を締めることにより、センターユニット２１と筒体２３とが連結される。
【００６３】
図１０および図１１を用いて、ファンモータ１３をファンモータ取付部２６に取り付ける手順を説明する。まず、図１０に示すように、ファンモータ１３のフランジ部１３ｂに形成された貫通穴１３ｃとファンモータ取付部２６の係合部２６ｄとが対応するように、ファンモータ１３をファンモータ取付部２６の上方に配置する。図示しない押え部２６ｅは、支持部２６ａの径方向に引っ張る力が加えられることにより解除状態とされる。
【００６４】
図１１に示すように、ファンモータ１３を下方へ移動させて、ファンモータ１３の貫通穴１３ｃにファンモータ取付部２６の係合部２６ｄを挿入する。図示しない押え部２６ｅは、引っ張る力から解放されることにより、ファンモータ１３のフランジ部１３ｂの上に配置され、付勢状態とされる（図２参照）。付勢状態の押え部２６ｅにより、ファンモータ１３のフランジ部１３ｂが上側から下側へ付勢され、ファンモータ１３の浮き上がりが防止される。このように、ファンモータ取付部２６は、ファンモータ１３の貫通穴１３ｃに係合される係合部２６ｄと、解除状態と付勢状態との間で変位する押え部２６ｅを有することにより、ファンモータ１３を着脱自在とする。
【００６５】
フード２２をセンターユニット２１に取り付ける手順を説明する。フード２２をセンターユニット２１の上方に配置し、フード２２のカバー３６に形成されたＬ字形の切り欠き３６ａに沿って、フード２２を下方へ移動させてから回転させることにより、各切り欠き３６ａと各第１のつまみねじ３３とを嵌合させる。各切り欠き３６ａと各第１のつまみねじ３３とが嵌合した状態で、各第１のつまみねじ３３を締めることにより、センターユニット２１とフード２２とが連結される。
【００６６】
以上のように、通風筒１０は、センターユニット２１とフード２２と筒体２３とに備わる複数の部品のうち少なくともいずれかの部品が工具を使用することなく変位することによって、分解状態と組立状態とを可能とするように構成されているのでメンテナンス性に優れる。
【００６７】
通風筒１０は、分解組立機構として位置決めリング４５を含むことにより、内筒３９の上端の位置決めを容易に行うことができる。
【００６８】
通風筒１０は、分解組立機構として受け金具４０を含むことにより、内筒３９の下端の位置決めを容易に行うことができる。
【００６９】
通風筒１０は、分解組立機構としてファンモータ取付部２６を含むことにより、ファンモータ１３の着脱を容易に行うことができる。
【００７０】
位置決めリング４５は、リング本体４６を有する。リング本体４６の内径が内筒３９の上端の外径以上、かつ、内筒３９の下端の外径未満であることにより、内筒３９の上端が挿入可能とされ、内筒３９の下端が挿入不可能とされている。このため、通風筒１０は、位置決めリング４５のリング本体４６により、内筒３９の誤挿入が防止される。
【００７１】
位置決めリング４５は、リング本体４６の軸方向に突出し、リング本体４６の内側に向けて傾斜する複数の櫛歯４８により形成された位置決め部４７を有する。複数の櫛歯４８の各先端をリング本体４６の円周方向に結んだときに形成される仮想円Ｓ１の直径が内筒３９の上端の外径以下であることにより、リング本体４６に挿入された内筒３９の上端が複数の櫛歯４８と接触し、内筒３９の上端の位置決めが行われる。
【００７２】
複数の櫛歯４８の各先端をリング本体４６の円周方向に結んだときに形成される仮想円Ｓ１の直径が内筒３９の上端の外径未満であることにより、リング本体４６に挿入された内筒３９の上端が複数の櫛歯４８により付勢され、通風筒１０を分解する際に外筒３８からの内筒３９の脱落が防止される。
【００７３】
通風筒１０は、第１のつまみねじ３３、第２のつまみねじ４２、および第３のつまみねじ４３を取り外さずに緩めるだけで分解および組立を可能とするように構成されているので、第１のつまみねじ３３、第２のつまみねじ４２、および第３のつまみねじ４３の脱落が防止される。従来の通風筒では、メンテナンスを行う際にねじ部材を取り外す必要があったので、ねじ部材を落下させて見失うことがあり、メンテナンス性に問題があった。通風筒１０では、第１のつまみねじ３３、第２のつまみねじ４２、および第３のつまみねじ４３の脱落が防止されているので、メンテナンス性に優れている。
【００７４】
本発明は、上記実施形態に限定されず、本発明の趣旨を逸脱しない範囲で適宜変更が可能である。
【００７５】
センターユニット２１、フード２２、および筒体２３の各形状は、上記実施形態の形状に限定されない。ユニット本体２５は、円筒形状に限られず、楕円筒形状、角筒形状などとしてもよい。カバー３６は、円筒形状に限られず、楕円筒形状、角筒形状などとしてもよい。キャップ３７は、円錐形状に限られず、楕円錐台形状、角錐台形状などとしてもよい。外筒３８は、円筒状体から構成される場合に限られず、楕円筒状体、角筒状体などから構成されるものでもよい。
【００７６】
リング本体４６は、円筒形状に限られず、楕円筒形状、角筒形状などとしてもよい。リング本体４６が楕円筒形状または角筒形状である場合は、リング本体４６の内接円の直径を、リング本体４６の内径とする。
【００７７】
センサー収容部５１は、円筒形状に限られず、楕円筒形状、角筒形状などとしてもよい。センサー収容部５１が楕円筒形状または角筒形状である場合は、センサー収容部５１の外接円の直径を、センサー収容部５１の上端の外径、すなわち内筒３９の上端の外径とする。
【００７８】
空気吸引部５２は、円錐台形状に限られず、楕円錐台形状、角錐台形状などとしてもよい。空気吸引部５２が楕円錐台形状または角錐台形状である場合は、空気吸引部５２下端の外接円の直径を、空気吸引部５２の下端の外径、すなわち内筒３９の下端の外径とする。また、空気吸引部５２下端の内接円の直径を、空気吸引部５２の下端の内径、すなわち内筒３９の下端の内径とする。
【符号の説明】
【００７９】
１０  通風筒
１２  センサー部
１３  ファンモータ
２１  センターユニット
２２  フード
２３  筒体
２６  ファンモータ取付部
２６ｄ  係合部
２６ｅ  押え部
３８  外筒
３９  内筒
４０  受け金具
４５  位置決めリング
４６  リング本体
４７  位置決め部
４８  複数の櫛歯
５６  位置決め片
【要約】
【課題】メンテナンス性に優れる通風筒を提供する。
【解決手段】通風筒１０は、センターユニット２１と、フード２２と、筒体２３とを備える。センターユニット２１には、大気の温度と湿度との少なくともいずれかを測定するセンサー部１２が設けられている。フード２２は、センターユニット２１の上部に設けられている。筒体２３は、センターユニット２１の下部に設けられている。通風筒１０は、センターユニット２１とフード２２と筒体２３とに備わる複数の部品のうち少なくともいずれかの部品が工具を使用することなく変位することによって、センターユニット２１とフード２２と筒体２３とを組み立てた組立状態と、センターユニット２１とフード２２と筒体２３とに分解した分解状態とを可能とする分解組立機構を備える。
【選択図】図２【図１】
0006782498.tif 000002
【図２】
0006782498.tif 000003
【図３】
0006782498.tif 000004
【図４】
0006782498.tif 000005
【図５】
0006782498.tif 000006
【図６】
0006782498.tif 000007
【図７】
0006782498.tif 000008
【図８】
0006782498.tif 000009
【図９】
0006782498.tif 000010
【図１０】
0006782498.tif 000011
【図１１】
0006782498.tif 000012